(57)【要約】最適な無線パラメータを設定するために、自身の無線基地局における無線パラメータの最適化を行う必要があるかどうかを判定する無線パラメータ制御部４０２と、無線パラメータの最適化を行う必要があると判定された場合、他の無線基地局が無線パラメータの最適化を行っているかどうかを判定する判定部４０４とを有し、無線パラメータ制御部４０２は、他の無線基地局が無線パラメータの最適化を行っていないと判定された場合、自身の無線基地局における無線パラメータの最適化を行い、他の無線基地局が無線パラメータの最適化を行っていると判定された場合、自身の無線基地局における無線パラメータの最適化を行うことを取り止める。
2015174066.tif 000002
【特許請求の範囲】
【請求項１】
自身の無線基地局における無線パラメータの最適化を行う必要があるかどうかを判定する無線パラメータ制御部と、
前記無線パラメータ制御部が前記無線パラメータの最適化を行う必要があると判定した場合、他の無線基地局が該他の無線基地局における無線パラメータの最適化を行っているかどうかを判定する判定部とを有し、
前記無線パラメータ制御部は、
前記判定部が、前記他の無線基地局が該他の無線基地局における無線パラメータの最適化を行っていないと判定した場合、自身の無線基地局における無線パラメータの最適化を行い、
前記判定部が、前記他の無線基地局が該他の無線基地局における無線パラメータの最適化を行っていると判定した場合、自身の無線基地局における無線パラメータの最適化を行うことを取り止める、
無線基地局。
【請求項２】
請求項１に記載の無線基地局において、
自身の無線基地局における無線パラメータの最適化を開始する際、前記最適化を開始を示す開始メッセージを送信し、該最適化を終了した際、前記最適化の終了を示す終了メッセージを送信する通信部を有し、
前記判定部は、前記他の無線基地局から該他の無線基地局における無線パラメータの最適化を開始する旨を示す開始メッセージが送信されてきてから、該最適化を終了した旨を示す終了メッセージが送信されてくるまでの間、前記他の無線基地局が該他の無線基地局における無線パラメータの最適化を行っていると判定する、
無線基地局。
【請求項３】
請求項１に記載の無線基地局において、
自身の無線基地局における無線パラメータの最適化を行っている場合、前記最適化が行われいることを示す最適化中メッセージを所定の周期で送信する通信部を有し、
前記判定部は、前記他の無線基地局から該他の無線基地局における無線パラメータの最適化を行っている旨を示す最適化中メッセージが所定の周期で送信されている場合、前記他の無線基地局が該他の無線基地局における無線パラメータの最適化を行っていると判定する、
無線基地局。
【請求項４】
請求項１から３のいずれか１項に記載の無線基地局において、
前記判定部が、前記他の無線基地局が該他の無線基地局における無線パラメータの最適化を行っていると判定した場合であっても、該他の無線基地局があらかじめ設定されたリストに含まれていなければ、
前記無線パラメータ制御部は、自身の無線基地局における無線パラメータの最適化を行う、
無線基地局。
【請求項５】
請求項１に記載の無線基地局において、
自身の無線基地局の位置を示す位置情報を送信する通信部を有し、
前記判定部は、前記自身の無線基地局の位置と前記他の無線基地局から送信されてきた位置情報が示す位置とに応じて、該他の無線基地局が近隣無線基地局であるかどうかを判定し、
前記無線パラメータ制御部は、前記判定部が、前記他の無線基地局が該他の無線基地局における無線パラメータの最適化を行っていると判定した場合であっても、該他の無線基地局が前記近隣無線基地局でなければ、自身の無線基地局における無線パラメータの最適化を行う、
無線基地局。
【請求項６】
請求項１に記載の無線基地局において、
前記無線パラメータ制御部は、前記判定部が、前記他の無線基地局が該他の無線基地局における無線パラメータの最適化を行っていると判定した場合であっても、該無線パラメータの変更が自身の無線基地局におけるパラメータの最適化に影響を与えないと判定した場合、自身の無線基地局における無線パラメータの最適化を行う、
無線基地局。
【請求項７】
請求項６に記載の無線基地局において、
前記無線パラメータの変更内容を送信する通信部を有し、
前記無線パラメータ制御部は、前記他の無線基地局から送信されてきた無線パラメータの変更内容に基づいて、該無線パラメータの変更が自身の無線基地局における無線パラメータの最適化に影響を与えないかどうかを判定する、
無線基地局。
【請求項８】
複数の無線基地局を有する通信システムにおいて、
前記無線基地局における無線パラメータの最適化を行う必要があるかどうかを判定する無線パラメータ制御部と、
前記無線パラメータ制御部が前記無線パラメータの最適化を行う必要があると判定した場合、前記複数の無線基地局のうち前記無線パラメータの最適化を行う必要があると判定された無線基地局以外の無線基地局における無線パラメータの最適化を行っているかどうかを判定する判定部とを有し、
前記無線パラメータ制御部は、前記判定部が、前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行い、
前記判定部が、前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める、
通信システム。
【請求項９】
請求項８に記載の通信システムにおいて、
前記無線基地局は、前記無線パラメータ制御部と、前記判定部とを有する、
通信システム。
【請求項１０】
無線基地局における無線パラメータの最適化を行う必要があるかどうかを判定する処理と、
前記無線パラメータの最適化を行う必要があると判定した場合、通信システムを構成する複数の無線基地局のうち前記無線パラメータの最適化を行う必要があると判定された無線基地局以外の無線基地局における無線パラメータの最適化を行っているかどうかを判定する処理と、
前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行う処理と、
前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める処理とを行う、
無線パラメータ最適化方法。
【請求項１１】
無線基地局における無線パラメータの最適化を行う必要があるかどうかを判定する手順と、
前記無線パラメータの最適化を行う必要があると判定した場合、通信システムを構成する複数の無線基地局のうち前記無線パラメータの最適化を行う必要があると判定された無線基地局以外の無線基地局における無線パラメータの最適化を行っているかどうかを判定する手順と、
前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行う手順と、
前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める手順とをコンピュータに実行させるためのプログラムを記憶する、
記憶媒体。
【発明の詳細な説明】
【技術分野】
【０００１】
本開示は、無線パラメータの最適化処理を行う無線基地局、通信システム、無線パラメータ最適化方法および記憶媒体に関する。
【背景技術】
【０００２】
ＬＴＥ（Ｌｏｎｇ  Ｔｅｒｍ  Ｅｖｏｌｕｔｉｏｎ）などの携帯電話ネットワークでは、ネットワークの運用コストを削減するために、各種無線パラメータを自律的に最適化するＳＯＮ（Ｓｅｌｆ  Ｏｒｇａｎｉｚｉｎｇ  Ｎｅｔｗｏｒｋ）技術が用いられている。この技術では一般的に、通信端末であるＵＥ（Ｕｓｅｒ  Ｅｑｕｉｐｍｅｎｔ）や無線基地局であるｅＮＢ（ｅｖｏｌｖｅｄ  Ｎｏｄｅ  Ｂ）における測定結果や、Ｘ２インタフェースを介して入手した周辺ｅＮＢの情報を使用して、ネットワークの最適化の必要性が判断されている。そして、最適化が必要であると判断されれば、前述の情報を用いてネットワークの最適な無線パラメータ値が決定され、その無線パラメータ値が決定した値へ変更される。【０００３】
例えば、特許文献１に開示された方法では、ピコＵＥで測定されたＲＳＲＰ（Ｒｅｆｅｒｅｎｃｅ  Ｓｉｇｎａｌ  Ｒｅｃｅｉｖｅｄ  Ｐｏｗｅｒ）値を用いてピコＢＳ（Ｂａｓｅ  Ｓｔａｔｉｏｎ）の最適な送信電力が決定され、ピコｅＮＢの送信電力が変更される。このとき、他のピコｅＮＢが近隣に存在している場合であっても、近隣に存在しているピコｅＮＢでの最適化の実施の状態が考慮されることなく、当該ピコｅＮＢにおける送信電力の最適化が実施される。【０００４】
また、例えば、特許文献２には、無線基地局における状態制御情報を隣接する無線基地局へ、制御局を介して通知し、効率的に適切な値に無線パラメータを設定するシステムが開示されている。
【先行技術文献】
【特許文献】
【０００５】
【特許文献１】国際公開第２０１２／０８１１５０号
【特許文献２】国際公開第２０１０／１０４１４３号
【発明の概要】
【発明が解決しようとする課題】
【０００６】
特許文献１に記載されたような最適化手法を用いた最適化機能が複数のｅＮＢで同時に動作する場合、最適化された無線パラメータが期待した結果にならないおそれがある。具体的には、ある最適化を行うｅＮＢの近隣に、最適化実施予定のｅＮＢが存在するような場合である。以下に、図面を用いてさらに具体的に説明する。【０００７】
図２０は、一般的な通信システムの一形態を示す図である。【０００８】
図２０に示すように、コアネットワーク１と接続された無線基地局であるマクロｅＮＢ２のカバレッジであるマクロセル６１内に、通信端末であるマクロＵＥ３および無線基地局であるピコｅＮＢ４１００−１，４１００−２が存在する。また、ピコｅＮＢ４１００−１のカバレッジであるピコセル６２００−１と、ピコｅＮＢ４１００−２のカバレッジであるピコセル６２００−２とが隣接している。また、ピコｅＮＢ４１００およびピコｅＮＢ４２００それぞれには、無線パラメータを制御する無線パラメータ制御装置が内蔵されている。また、ピコｅＮＢ４１００−１，４１００−２は、それぞれコアネットワーク１と接続されている。【０００９】
このような形態では、ピコｅＮＢ４１００−１，４１００−２において、通信端末の数が少ない場所がセルエッジとなるように無線パラメータを調整するために、通信端末であるピコＵＥ５１−１〜５１−３から無線品質の測定報告を同時に収集することが起こりうる。このとき、ピコｅＮＢ４１００−１は、ピコｅＮＢ４１００−２が無線パラメータを変更しようとしていることを認識していない。そのため、ピコｅＮＢ４１００−１は、ピコｅＮＢ４１００−２が無線パラメータを変更しないことを前提として、通信端末の数が少ない場所がセルエッジとなるようにピコｅＮＢ４１００−１の無線パラメータを調整する。一方、ピコｅＮＢ４１００−２も同様に、ピコｅＮＢ４１００−１が無線パラメータを変更しないことを前提として、通信端末の数が少ない場所がセルエッジとなるようにピコｅＮＢ４１００−２の無線パラメータを調整する。【００１０】
図２１は、図２０に示したピコｅＮＢ４１００−１とピコｅＮＢ４１００−２とが同時に無線パラメータを変更した後のピコセル６２００−１，６２００−２の変化の様子の一例を示す図である。【００１１】
図２１に示すように、ピコｅＮＢ４１００−１とピコｅＮＢ４１００−２とが同時に無線パラメータを変更した結果、破線で示したピコセルが実線で示したピコセル６２００−１，６２００−２へ変化する。これにより、ピコＵＥ５１−３がピコｅＮＢ４１００−１，４１００−２のカバレッジであるピコセル６２００−１，６２００−２の外に出てしまうことが起こり得る。【００１２】
このように、各ピコｅＮＢにおいて個別に最適化を行う場合、近隣のピコｅＮＢにおける無線パラメータの最適化の実施状態を認識することができない。そのため、各ピコｅＮＢは近隣のピコｅＮＢが無線パラメータの状態を維持すると仮定した上で最適な無線パラメータを求め、それを適用する。最適なパラメータを適用する段階において近隣のピコｅＮＢが無線パラメータを変更してしまった場合、前述の最適な無線パラメータが最適である前提条件が崩れてしまうおそれがある。その結果、かえって不適切な状態に陥ってしまうおそれがあるという問題点がある。【００１３】
また、特許文献２に記載されたようなシステムにおいても、近隣の無線基地局における無線パラメータの最適化の実施状態を認識することができないため、同様の問題点が生じてしまう。【００１４】
例示的な実施形態の目的は、上述した課題を解決する無線基地局、通信システム、無線パラメータ最適化方法および記憶媒体を提供することである。
【課題を解決するための手段】
【００１５】
例示的な実施形態の無線基地局は、
自身の無線基地局における無線パラメータの最適化を行う必要があるかどうかを判定する無線パラメータ制御部と、
前記無線パラメータ制御部が前記無線パラメータの最適化を行う必要があると判定した場合、他の無線基地局が該他の無線基地局における無線パラメータの最適化を行っているかどうかを判定する判定部とを有し、
前記無線パラメータ制御部は、前記判定部が、前記他の無線基地局が該他の無線基地局における無線パラメータの最適化を行っていないと判定した場合、自身の無線基地局における無線パラメータの最適化を行い、前記判定部が、前記他の無線基地局が該他の無線基地局における無線パラメータの最適化を行っていると判定した場合、自身の無線基地局における無線パラメータの最適化を行うことを取り止める。【００１６】
また、他の例示的な実施形態の通信システムは、
複数の無線基地局を有する通信システムであって、
前記無線基地局における無線パラメータの最適化を行う必要があるかどうかを判定する無線パラメータ制御部と、
前記無線パラメータ制御部が前記無線パラメータの最適化を行う必要があると判定した場合、前記複数の無線基地局のうち前記無線パラメータの最適化を行う必要があると判定された無線基地局以外の無線基地局における無線パラメータの最適化を行っているかどうかを判定する判定部とを有し、
前記無線パラメータ制御部は、前記判定部が、前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行い、前記判定部が、前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める。【００１７】
また、他の例示的な実施形態の無線パラメータ最適化方法は、
無線基地局における無線パラメータの最適化を行う必要があるかどうかを判定する処理と、
前記無線パラメータの最適化を行う必要があると判定した場合、通信システムを構成する複数の無線基地局のうち前記無線パラメータの最適化を行う必要があると判定された無線基地局以外の無線基地局における無線パラメータの最適化を行っているかどうかを判定する処理と、
前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行う処理と、
前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める処理とを行う。【００１８】
また、他の例示的な実施形態の記憶媒体は、
コンピュータに実行させるためのプログラムを記憶する記憶媒体であって、
無線基地局における無線パラメータの最適化を行う必要があるかどうかを判定する手順と、
前記無線パラメータの最適化を行う必要があると判定した場合、通信システムを構成する複数の無線基地局のうち前記無線パラメータの最適化を行う必要があると判定された無線基地局以外の無線基地局における無線パラメータの最適化を行っているかどうかを判定する手順と、
前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行う手順と、
前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める手順とを実行させるプログラムを記憶する。
【発明の効果】
【００１９】
以上説明したように、例示的な実施形態においては、最適な無線パラメータを設定することができる。
【図面の簡単な説明】
【００２０】
【図１】例示的な実施形態の無線基地局の第１の形態を示す図である。
【図２】図１に示したピコｅＮＢにおける無線パラメータ最適化方法の一例を説明するためのフローチャートである。
【図３】例示的な実施形態の無線基地局の第２の形態を示す図である。
【図４】図３に示したピコｅＮＢの内部構成の一例を示す図である。
【図５】図３に示した形態における無線パラメータ最適化方法の第１の例を説明するためのフローチャートである。
【図６】図３に示したピコｅＮＢから送信されてくるメッセージのフォーマットの第１の例を示す図である。
【図７】図３に示した形態における無線パラメータ最適化方法の第２の例を説明するためのフローチャートである。
【図８】図３に示したピコｅＮＢから送信されてくるメッセージのフォーマットの第２の例を示す図である。
【図９】図４示した通信部が最適化中メッセージを送信する処理の一例を説明するためのフローチャートである。
【図１０】図３に示した形態における無線パラメータ最適化方法の第３の例を説明するためのフローチャートである。
【図１１】図３に示した形態における無線パラメータ最適化方法の第４の例を説明するためのフローチャートである。
【図１２】図３に示したピコｅＮＢから送信されてくるメッセージのフォーマットの第３の例を示す図である。
【図１３】図３に示した形態における無線パラメータ最適化方法の第５の例を説明するためのフローチャートである。
【図１４】図３に示したピコｅＮＢから送信されてくるメッセージのフォーマットの第４の例を示す図である。
【図１５】図３に示した形態の変形例を示す図である。
【図１６】例示的な実施形態の無線基地局の第３の形態を示す図である。
【図１７】図１６に示した形態における無線パラメータ最適化方法の第１の例を説明するためのシーケンス図である。
【図１８】図１６に示した形態における無線パラメータ最適化方法の第２の例を説明するためのシーケンス図である。
【図１９】図１６に示した形態における無線パラメータ最適化方法の第３の例を説明するためのシーケンス図である。
【図２０】一般的な通信システムの一形態を示す図である。
【図２１】図２０に示した２つのピコｅＮＢが同時に無線パラメータを変更した後のピコセルの変化の様子の一例を示す図である。
【発明を実施するための形態】
【００２１】
以下に、例示的な実施形態について図面を参照して説明する。
（第１の実施の形態）
図１は、例示的な実施形態の無線基地局の第１の形態を示す図である。
【００２２】
本形態における無線基地局（ピコｅＮＢ４１）は図１に示すように、無線パラメータ制御部４０２と、判定部４０４とを有している。なお、図１には、本形態における無線基地局（ピコｅＮＢ４１）に設けられた構成要素のうち、本実施の形態に関わる主要な構成要素の一例を示す。
【００２３】
無線パラメータ制御部４０２は、自身の無線基地局であるピコｅＮＢ４１における無線パラメータの最適化を行う必要があるかどうかを判定する。この判定方法は、例えば、前述の特許文献１に開示されたような方法で良い。また、無線パラメータ制御部４０２は、判定部４０４が、他の無線基地局であるピコｅＮＢがそのピコｅＮＢにおける無線パラメータの最適化を行っていないと判定した場合、ピコｅＮＢ４１における無線パラメータの最適化を行う。この無線パラメータの最適化処理の方法は、例えば、前述の特許文献１に開示されたような方法で良い。また、無線パラメータ制御部４０２は、判定部４０４が、他の無線基地局であるピコｅＮＢがそのピコｅＮＢにおける無線パラメータの最適化を行っていると判定した場合、ピコｅＮＢ４１における無線パラメータの最適化を行うことを取り止める。
【００２４】
判定部４０４は、無線パラメータ制御部４０２が無線パラメータの最適化を行う必要があると判定すると、他の無線基地局であるピコｅＮＢがそのピコｅＮＢにおける無線パラメータの最適化を行っているかどうかを判定する。この判定方法は、後述する。
【００２５】
以下に、図１に示したピコｅＮＢ４１における無線パラメータ最適化方法について説明する。
【００２６】
図２は、図１に示したピコｅＮＢ４１における無線パラメータ最適化方法の一例を説明するためのフローチャートである。
【００２７】
まず、無線パラメータ制御部４０２は、ピコｅＮＢ４１における無線パラメータの最適化を行う必要があるかどうかを判定する（ステップＳ１）。無線パラメータ制御部４０２が無線パラメータの最適化を行う必要があると判定すると、判定部４０４は、他の無線基地局であるピコｅＮＢがそのピコｅＮＢにおける無線パラメータの最適化を行っているかどうかを判定する（ステップＳ２）。
【００２８】
判定部４０４が他の無線基地局であるピコｅＮＢがそのピコｅＮＢにおける無線パラメータの最適化を行っていないと判定した場合、無線パラメータ制御部４０２は、ピコｅＮＢ４１における無線パラメータの最適化処理を行う（ステップＳ３）。一方、ステップＳ２にて、判定部４０４が他の無線基地局であるピコｅＮＢがそのピコｅＮＢにおける無線パラメータの最適化を行っていると判定した場合、無線パラメータ制御部４０２は、ピコｅＮＢ４１における無線パラメータの最適化処理を行うことを取り止める（ステップＳ４）。つまり、この場合、無線パラメータ制御部４０２は、ピコｅＮＢ４１における無線パラメータの最適化処理を行わない。
【００２９】
このように、無線パラメータの最適化処理を行おうとする際、他の無線基地局が最適化処理を行っている場合は、自身の無線基地局における最適化処理を行うことを取り止める。これにより、一方の無線基地局が最適化処理を行っている間に、他方の無線基地局が最適化処理を行うことで生じる無線パラメータの不具合を避けることができる。
（第２の実施の形態）
図３は、例示的な実施形態の無線基地局の第２の実施の形態を示す図である。
【００３０】
本形態は図３に示すように、コアネットワーク１と、マクロｅＮＢ２およびピコｅＮＢ４２−１、４２−２とが接続された通信システムとなっている。なお、以下の説明において、図３に示したピコｅＮＢ４２−１の「他の無線基地局」をピコｅＮＢ４２−２としているが、そのほかにも無線基地局が存在する場合は、その無線基地局も「他の無線基地局」であることは言うまでもない。
【００３１】
コアネットワーク１は、マクロｅＮＢ２およびピコｅＮＢ４２−１，４２−２の上位ネットワークである。マクロｅＮＢ２は、マクロセル６１をカバレッジとして形成する無線基地局である。ピコｅＮＢ４２−１は、ピコセル６２−１をカバレッジとして形成する無線基地局である。ピコｅＮＢ４２−２は、ピコセル６２−２をカバレッジとして形成する無線基地局である。マクロセル６１の範囲内に通信端末であるマクロＵＥ３が存在している。ピコセル６２−１の範囲内に通信端末であるピコＵＥ５１−１が存在している。ピコセル６２−２の範囲内に通信端末であるピコＵＥ５１−２が存在している。さらに、通信端末であるピコＵＥ５１−３が、ピコセル６２−１とピコセル６２−２との重複範囲内に存在している。それぞれの無線基地局であるマクロｅＮＢ２およびピコｅＮＢ４２−１，４２−２は、自身のカバレッジに存在する通信端末とコアネットワーク１との間のトラヒックを中継する。また、ピコｅＮＢ４２−１とピコｅＮＢ４２−２とが、通信媒体７を介して接続されている。例えば、通信媒体７にＸ２リンクが確立されているものでも良い。
【００３２】
図４は、図３に示したピコｅＮＢ４２−１の内部構成の一例を示す図である。
【００３３】
図３に示したピコｅＮＢ４２−１は図４に示すように、無線通信部４０１と、無線パラメータ制御部４０２と、通信部４０３と、判定部４０４とを具備している。なお、図４には、図３に示したピコｅＮＢ４２−１に設けられた構成要素のうち、本実施の形態に関わる主要な構成要素の一例を示す。また、図３に示したピコｅＮＢ４２−２の内部構成も図４に示したものと同じものであっても良い。
【００３４】
無線通信部４０１は、ピコセル６２−１内に存在する通信端末（図３に示した形態においては、ピコＵＥ５１−１、５１−３）との間で無線通信を行う。無線通信部４０１は、ピコＵＥ５１−１、５１−３に対して、制御データおよびユーザデータがエンコードされたダウンリンク無線信号を送信する。また、無線通信部４０１は、ピコＵＥ５１−１、５１−３から送信されてきたアップリンク無線信号を受信し、受信したアップリンク無線信号から受信データをデコードする。無線通信部４０１は、デコードされた受信データのうち、無線パラメータの最適化の処理が必要であるかどうかを判定するために必要な測定データを無線パラメータ制御部４０２へ出力する。無線通信部４０１は、デコードされた受信データのうち、ユーザデータを通信部４０３へ出力する。
【００３５】
無線パラメータ制御部４０２は、ピコｅＮＢ４２−１における無線パラメータの最適化の処理を行う必要があるかどうかを判定する。具体的には、無線パラメータ制御部４０２は、無線通信部４０１から出力されてきた測定データを用いて、無線パラメータの最適化の処理が必要であるかどうかを判定する。無線パラメータ制御部４０２は、無線パラメータの最適化の処理が必要であると判定すると、その旨を判定部４０４へ通知する。無線パラメータ制御部４０２は、判定部４０４から通知された結果が、他の無線基地局であるピコｅＮＢ４２−２がピコｅＮＢ４２−２における無線パラメータの最適化を行っていないことを示すものである場合、ピコｅＮＢ４２−１における無線パラメータの最適化を行う。一方、判定部４０４から通知された結果が、ピコｅＮＢ４２−２がピコｅＮＢ４２−２における無線パラメータの最適化を行っていることを示すものである場合は、無線パラメータ制御部４０２は、ピコｅＮＢ４２−１における無線パラメータの最適化を行うことを取り止める。無線パラメータ制御部４０２が行う無線パラメータの最適化処理は、特許文献１に開示されたような一般的な方法を用いて、最適な無線パラメータを計算するものである。そして、無線パラメータ制御部４０２は、計算した結果を用いて無線通信部４０１を制御する。
【００３６】
判定部４０４は、無線パラメータ制御部４０２から、無線パラメータの最適化の処理が必要である旨が通知されると、ピコｅＮＢ４２−２がピコｅＮＢ４２−２における無線パラメータの最適化を行っているかどうかを判定する。この判定方法について、以下に２つの具体例を挙げて説明する。
【００３７】
まず、１つ目の例を説明する。判定部４０４は、ピコｅＮＢ４２−２から開始メッセージが送信されてきてから終了メッセージが送信されてくるまでの間、ピコｅＮＢ４２−２がピコｅＮＢ４２−２における無線パラメータの最適化を行っていると判定する。この開始メッセージは、ピコｅＮＢ４２−２がピコｅＮＢ４２−２において無線パラメータの最適化を開始する旨を示すメッセージである。また、この終了メッセージは、ピコｅＮＢ４２−２がピコｅＮＢ４２−２において実施していた無線パラメータの最適化を終了した旨を示すメッセージである。
【００３８】
次に、２つ目の例を説明する。判定部４０４は、ピコｅＮＢ４２−２から最適化中メッセージが所定の周期で送信されている場合、ピコｅＮＢ４２−２がピコｅＮＢ４２−２における無線パラメータの最適化を行っていると判定する。この最適化中メッセージは、ピコｅＮＢ４２−２がピコｅＮＢ４２−２において無線パラメータの最適化を行っている旨を示すメッセージである。
【００３９】
また、判定部４０４は、判定結果を無線パラメータ制御部４０２へ通知する。
【００４０】
通信部４０３は、ピコｅＮＢ４２−２から送信されてきたメッセージを受信し、ピコｅＮＢ４２−２へ所定のメッセージを送信する。判定部４０４における判定方法が前述した１つ目の例を用いるシステムである場合、通信部４０３は、無線パラメータ制御部４０２が無線パラメータの最適化を開始する際、その旨を示す開始メッセージを送信し、最適化を終了した際、その旨を示す終了メッセージを送信する。また、判定部４０４における判定方法が前述した２つ目の例を用いるシステムである場合、通信部４０３は、無線パラメータ制御部４０２が無線パラメータの最適化を行っている場合、その旨を示す最適化中メッセージを所定の周期で送信する。また、通信部４０３は、コアネットワーク１等の上位ネットワークとの間で情報の送受信を行う。また、通信部４０３は、基地局間インタフェース（ＬＴＥのＸ２インタフェース等）をサポートし、ピコｅＮＢ４２−２等の他の無線基地局との間で情報の送受信を行う。
【００４１】
なお、ピコｅＮＢ４２−１は、判定部４０４を具備せず、無線パラメータ制御部４０２が前述した判定部４０４の処理をも行うものであっても良い。
【００４２】
以下に、図３に示した形態における無線パラメータ最適化方法について説明する。
【００４３】
図５は、図３に示した形態における無線パラメータ最適化方法の第１の例を説明するためのフローチャートである。
【００４４】
まず、無線パラメータ制御部４０２は、ピコｅＮＢ４２−１における無線パラメータの最適化を行う必要があるかどうかを、無線通信部４０１が測定した測定データを集計し、その集計結果に基づいて判定する（ステップＳ１１）。測定データの集計は、一定周期ごとに集計を行う方法でも良い。無線パラメータ制御部４０２が無線パラメータの最適化を行う必要があると判定すると、判定部４０４は、他の無線基地局であるピコｅＮＢ４２−２がピコｅＮＢ４２−２における無線パラメータの最適化を行っているかどうかを判定する（ステップＳ１２）。このとき、ピコｅＮＢ４２−２から開始メッセージが送信されてきてから終了メッセージが送信されてくるまでの間であれば、判定部４０４は、ピコｅＮＢ４２−２がピコｅＮＢ４２−２における無線パラメータの最適化を行っていると判定する。そうでなければ、判定部４０４は、ピコｅＮＢ４２−２がピコｅＮＢ４２−２における無線パラメータの最適化を行っていないと判定する。
【００４５】
図６は、図３に示したピコｅＮＢ４２−２から送信されてくるメッセージのフォーマットの第１の例を示す図である。
【００４６】
図３に示したピコｅＮＢ４２−２から送信されてくるメッセージは図６に示すように、セル識別子５０１と、メッセージ種別５０２とから構成されている。セル識別子５０１は、どのセルについてのメッセージかを識別するために、セルごとにあらかじめ設定された識別情報である。例えば、セル識別子５０１は、ＥＣＧＩ（Ｅ−ＵＴＲＡＮ  Ｃｅｌｌ  Ｇｌｏｂａｌ  ＩＤ）を用いても良い。メッセージ種別５０２は、このメッセージが、無線パラメータの最適化処理を開始する旨を示す開始メッセージであるのか、無線パラメータの最適化処理を終了した旨を示す終了メッセージであるのかを示す情報である。図６に示した例では、このメッセージが開始メッセージを示すものである場合、メッセージ種別５０２に「１」が設定され、このメッセージが終了メッセージを示すものである場合、メッセージ種別５０２に「２」が設定される。
【００４７】
判定部４０４が、ピコｅＮＢ４２−２がピコｅＮＢ４２−２における無線パラメータの最適化を行っていないと判定した場合、通信部４０３は、通信媒体７を介してピコｅＮＢ４２−２に対して開始メッセージを送信して最適化の処理を開始する旨を通知する（ステップＳ１３）。ここで送信される開始メッセージは、図６に示したフォーマットのセル識別子５０１にピコｅＮＢ４２−１のピコセル６２−１のセル識別子が設定され、メッセージ種別５０２に「１」が設定されたものである。
【００４８】
続いて、無線パラメータ制御部４０２は、無線パラメータの最適化の処理を行うために必要な測定データを収集する（ステップＳ１４）。この収集方法は、特許文献１に開示されたような一般的な方法で良い。無線パラメータ制御部４０２は、収集した測定データを用いて、ピコｅＮＢ４２−１における無線パラメータの最適化処理を実施する（ステップＳ１５）。具体的には、無線パラメータ制御部４０２は、収集した測定データを用いて、最適な無線パラメータを計算し、計算した最適な無線パラメータを無線通信部４０１に適用する。
【００４９】
その後、無線パラメータの最適化処理が終了すると、通信部４０３は、通信媒体７を介してピコｅＮＢ４２−２に対して終了メッセージを送信して最適化の処理が終了した旨を通知する（ステップＳ１６）。ここで送信される終了メッセージは、図６に示したフォーマットのセル識別子５０１にピコｅＮＢ４２−１のピコセル６２−１のセル識別子が設定され、メッセージ種別５０２に「２」が設定されたものである。
【００５０】
一方、ステップＳ１２にて、判定部４０４が、ピコｅＮＢ４２−２がピコｅＮＢ４２−２における無線パラメータの最適化を行っていると判定した場合、無線パラメータ制御部４０２は、ピコｅＮＢ４２−１における無線パラメータの最適化処理を行うことを取り止める（ステップＳ１７）。つまり、この場合、無線パラメータ制御部４０２は、ピコｅＮＢ４２−１における無線パラメータの最適化処理を行わない。ここで、他の無線基地局が複数存在する場合、その複数の無線基地局のうちいずれか１つの無線基地局が無線パラメータの最適化を行っていれば、無線パラメータ制御部４０２は、ピコｅＮＢ４２−１における無線パラメータの最適化処理を行うことを取り止める。
【００５１】
図７は、図３に示した形態における無線パラメータ最適化方法の第２の例を説明するためのフローチャートである。
【００５２】
まず、無線パラメータ制御部４０２は、ピコｅＮＢ４２−１における無線パラメータの最適化を行う必要があるかどうかを、無線通信部４０１が測定した測定データを集計し、その集計結果に基づいて判定する（ステップＳ２１）。測定データの集計は、一定周期ごとに集計を行う方法でも良い。無線パラメータ制御部４０２が無線パラメータの最適化を行う必要があると判定すると、判定部４０４は、他の無線基地局であるピコｅＮＢ４２−２がピコｅＮＢ４２−２における無線パラメータの最適化を行っているかどうかを判定する（ステップＳ２２）。このとき、ピコｅＮＢ４２−２から最適化中メッセージが所定の周期で送信されてきていれば、判定部４０４は、ピコｅＮＢ４２−２がピコｅＮＢ４２−２における無線パラメータの最適化を行っていると判定する。そうでなければ、判定部４０４は、ピコｅＮＢ４２−２がピコｅＮＢ４２−２における無線パラメータの最適化を行っていないと判定する。また、この周期は、あらかじめ設定されたものである。
【００５３】
図８は、図３に示したピコｅＮＢ４２−２から送信されてくるメッセージのフォーマットの第２の例を示す図である。
【００５４】
図３に示したピコｅＮＢ４２−２から送信されてくるメッセージは図８に示すように、セル識別子６０１と、メッセージ種別６０２とから構成されている。セル識別子６０１は、どのセルについてのメッセージかを識別するために、セルごとにあらかじめ設定された識別情報である。例えば、セル識別子６０１は、ＥＣＧＩを用いても良い。メッセージ種別６０２は、このメッセージが、無線パラメータの最適化の処理中である旨を示す最適化中メッセージであることを示す情報である。このメッセージが最適化中メッセージであることを示す場合、メッセージ種別６０２にあらかじめ決められた値が設定される。
【００５５】
判定部４０４が、ピコｅＮＢ４２−２がピコｅＮＢ４２−２における無線パラメータの最適化を行っていないと判定した場合、通信部４０３は、通信媒体７を介してピコｅＮＢ４２−２に対して最適化中メッセージの周期的な送信を開始して最適化の処理中である旨を通知する（ステップＳ２３）。ここで送信される最適化中メッセージは、図８に示したフォーマットのセル識別子６０１にピコｅＮＢ４２−１のピコセル６２−１のセル識別子が設定され、メッセージ種別６０２にあらかじめ決められた値が設定されたものである。
【００５６】
図９は、図４示した通信部４０３が最適化中メッセージを送信する処理の一例を説明するためのフローチャートである。
【００５７】
通信部４０３は、最適化中メッセージを送信する（ステップＳ３１）。その後、通信部４０３は、あらかじめ設定された時間、待機する（ステップＳ３２）。つまり、通信部４０３は、あらかじめ設定された時間、最適化中メッセージを送信しない。この時間は、ステップＳ２２にて、判定部４０４が最適化中メッセージの受信を判定する周期以下の時間である。通信部４０３は、あらかじめ設定された時間、待機した後、最適化中メッセージを再度送信する。
【００５８】
通信部４０３が最適化中メッセージを送信すると、無線パラメータ制御部４０２は、無線パラメータの最適化の処理を行うために必要な測定データを収集する（ステップＳ２４）。この収集方法は、ステップＳ１４で用いた方法と同じ方法で良い。無線パラメータ制御部４０２は、収集した測定データを用いて、ピコｅＮＢ４２−１における無線パラメータの最適化処理を実施する（ステップＳ２５）。具体的には、無線パラメータ制御部４０２は、収集した測定データを用いて、最適な無線パラメータを計算し、計算した最適な無線パラメータを無線通信部４０１に適用する。
【００５９】
その後、無線パラメータの最適化処理が終了すると、通信部４０３は、最適化中メッセージの送信を停止する（ステップＳ２６）。
【００６０】
一方、ステップＳ２２にて、判定部４０４が、ピコｅＮＢ４２−２がピコｅＮＢ４２−２における無線パラメータの最適化を行っていると判定した場合、無線パラメータ制御部４０２は、ピコｅＮＢ４２−１における無線パラメータの最適化処理を行うことを取り止める（ステップＳ２７）。つまり、この場合、無線パラメータ制御部４０２は、ピコｅＮＢ４２−１における無線パラメータの最適化処理を行わない。ここで、他の無線基地局が複数存在する場合、その複数の無線基地局のうちいずれか１つの無線基地局が無線パラメータの最適化を行っていれば、無線パラメータ制御部４０２は、ピコｅＮＢ４２−１における無線パラメータの最適化処理を行うことを取り止める。
【００６１】
このように、無線パラメータの最適化の処理を行っている旨を示すメッセージを所定の周期で繰り返し送信するため、通信媒体７上でメッセージのロスが発生しても、送信側と受信側とで発生する状態の不一致を解消することができる。
【００６２】
図１０は、図３に示した形態における無線パラメータ最適化方法の第３の例を説明するためのフローチャートである。
【００６３】
まず、無線パラメータ制御部４０２は、ピコｅＮＢ４２−１における無線パラメータの最適化を行う必要があるかどうかを、無線通信部４０１が測定した測定データを集計し、その集計結果に基づいて判定する（ステップＳ４１）。測定データの集計は、一定周期ごとに集計を行う方法でも良い。無線パラメータ制御部４０２が無線パラメータの最適化を行う必要があると判定すると、判定部４０４は、他の無線基地局であるピコｅＮＢ４２−２がピコｅＮＢ４２−２における無線パラメータの最適化を行っているかどうかを判定する（ステップＳ４２）。このとき、ピコｅＮＢ４２−２から開始メッセージが送信されてきてから終了メッセージが送信されてくるまでの間であれば、判定部４０４は、ピコｅＮＢ４２−２がピコｅＮＢ４２−２における無線パラメータの最適化を行っていると判定する。そうでなければ、判定部４０４は、ピコｅＮＢ４２−２がピコｅＮＢ４２−２における無線パラメータの最適化を行っていないと判定する。開始メッセージおよび終了メッセージのフォーマットは、図６に示したもので良い。
【００６４】
判定部４０４が、ピコｅＮＢ４２−２がピコｅＮＢ４２−２における無線パラメータの最適化を行っていると判定した場合、無線パラメータ制御部４０２は、ピコｅＮＢ４２−２が、あらかじめ設定されたリストに含まれる無線基地局であるかどうかを判定する（ステップＳ４３）。このリストは、あらかじめピコｅＮＢ４２−１に記憶されているものである。また、このリストは、ピコｅＮＢ４２−１の外部からの入力で設定されるものであっても良いし、コアネットワーク１から配布されて記憶されるものであっても良く、その取得方法は特に規定しない。また、このリストには、ピコｅＮＢ４２−１のカバレッジであるピコセル６２−１と隣接するカバレッジを有する無線基地局の識別子が格納されている。このリストの例として、セル再選択用のセルリストやハンドオーバ用のセルリストがある。
【００６５】
無線パラメータ制御部４０２が、ピコｅＮＢ４２−２が、あらかじめ設定されたリストに含まれる無線基地局ではないと判定した場合、通信部４０３は、通信媒体７を介してピコｅＮＢ４２−２に対して開始メッセージを送信して最適化の処理を開始する旨を通知する（ステップＳ４４）。ここで送信される開始メッセージは、図６に示したフォーマットのセル識別子５０１にピコｅＮＢ４２−１のピコセル６２−１のセル識別子が設定され、メッセージ種別５０２に「１」が設定されたものである。
【００６６】
一方、ステップＳ４２にて、判定部４０４が、ピコｅＮＢ４２−２がピコｅＮＢ４２−２における無線パラメータの最適化を行っていないと判定した場合、ピコｅＮＢ４２−１は、ステップＳ４３の処理を行わず、ステップＳ４４の処理を行う。
【００６７】
続いて、無線パラメータ制御部４０２は、無線パラメータの最適化の処理を行うために必要な測定データを収集する（ステップＳ４５）。この収集方法は、ステップＳ１４で説明した方法と同じ方法で良い。無線パラメータ制御部４０２は、収集した測定データを用いて、ピコｅＮＢ４２−１における無線パラメータの最適化処理を実施する（ステップＳ４６）。具体的には、無線パラメータ制御部４０２は、収集した測定データを用いて、最適な無線パラメータを計算し、計算した最適な無線パラメータを無線通信部４０１に適用する。
【００６８】
その後、無線パラメータの最適化処理が終了すると、通信部４０３は、通信媒体７を介してピコｅＮＢ４２−２に対して終了メッセージを送信して最適化の処理が終了した旨を通知する（ステップＳ４７）。ここで送信される終了メッセージは、図６に示したフォーマットのセル識別子５０１にピコｅＮＢ４２−１のピコセル６２−１のセル識別子が設定され、メッセージ種別５０２に「２」が設定されたものである。
【００６９】
一方、ステップＳ４３にて、無線パラメータ制御部４０２が、ピコｅＮＢ４２−２が、あらかじめ設定されたリストに含まれる無線基地局であると判定した場合、無線パラメータ制御部４０２は、ピコｅＮＢ４２−１における無線パラメータの最適化処理を行うことを取り止める（ステップＳ４８）。つまり、この場合、無線パラメータ制御部４０２は、ピコｅＮＢ４２−１における無線パラメータの最適化処理を行わない。ここで、他の無線基地局が複数存在する場合、その複数の無線基地局のうちいずれか１つの無線基地局がリストに含まれる無線基地局であれば、無線パラメータ制御部４０２は、ピコｅＮＢ４２−１における無線パラメータの最適化処理を行うことを取り止める。
【００７０】
以上説明した無線パラメータ最適化方法の第１，２の例では、通信媒体７上でＸ２リンクが確立した無線基地局すべてを近隣の無線基地局とみなす。そのため、その無線基地局が、実際に当該無線基地局の無線パラメータの変更が自身の無線基地局の無線パラメータの変更に影響を及ぼさない程十分に遠い位置に配置されている場合であっても、自身の無線基地局の無線パラメータの最適化を実施しない可能性がある。一方で、無線パラメータ最適化方法の第３の例では、隣接セルリストに格納されている識別子が付与された無線基地局を近隣の無線基地局とする。そのため、その無線基地局が、実際に当該無線基地局の無線パラメータの変更が自身の無線基地局の無線パラメータの変更に影響を及ぼさない程十分に遠い位置に配置されている場合、自身の無線基地局の無線パラメータの最適化を実施することが可能となる。
【００７１】
図１１は、図３に示した形態における無線パラメータ最適化方法の第４の例を説明するためのフローチャートである。
【００７２】
まず、無線パラメータ制御部４０２は、ピコｅＮＢ４２−１における無線パラメータの最適化を行う必要があるかどうかを、無線通信部４０１が測定した測定データを集計し、その集計結果に基づいて判定する（ステップＳ５１）。測定データの集計は、一定周期ごとに集計を行う方法でも良い。無線パラメータ制御部４０２が無線パラメータの最適化を行う必要があると判定すると、判定部４０４は、他の無線基地局であるピコｅＮＢ４２−２がピコｅＮＢ４２−２における無線パラメータの最適化を行っているかどうかを判定する（ステップＳ５２）。このとき、ピコｅＮＢ４２−２から開始メッセージが送信されてきてから終了メッセージが送信されてくるまでの間であれば、判定部４０４は、ピコｅＮＢ４２−２がピコｅＮＢ４２−２における無線パラメータの最適化を行っていると判定する。そうでなければ、判定部４０４は、ピコｅＮＢ４２−２がピコｅＮＢ４２−２における無線パラメータの最適化を行っていないと判定する。
【００７３】
図１２は、図３に示したピコｅＮＢ４２−２から送信されてくるメッセージのフォーマットの第３の例を示す図である。
【００７４】
図３に示したピコｅＮＢ４２−２から送信されてくるメッセージは図１２に示すように、セル識別子７０１と、メッセージ種別７０２と、位置情報７０３とから構成されている。セル識別子７０１は、どのセルについてのメッセージかを識別するために、セルごとにあらかじめ設定された識別情報である。例えば、セル識別子７０１は、ＥＣＧＩを用いても良い。メッセージ種別７０２は、このメッセージが、無線パラメータの最適化処理を開始する旨を示す開始メッセージであるのか、無線パラメータの最適化処理を終了した旨を示す終了メッセージであるのかを示す情報である。図１２に示した例では、このメッセージが開始メッセージを示すものである場合、メッセージ種別７０２に「１」が設定され、このメッセージが終了メッセージを示すものである場合、メッセージ種別７０２に「２」が設定される。位置情報７０３は、ピコｅＮＢ４２−２の存在する位置を示す情報である。この位置情報７０３は、例えば、経度・緯度情報やＲＦ（Ｒａｄｉｏ  Ｆｒｅｑｕｅｎｃｙ）フィンガープリント情報などが含まれる。
【００７５】
判定部４０４が、ピコｅＮＢ４２−２がピコｅＮＢ４２−２における無線パラメータの最適化を行っていると判定した場合、判定部４０４は、ピコｅＮＢ４２−２の位置がピコｅＮＢ４２−１の位置から地理的に近いかどうか判定する（ステップＳ５３）。具体的には、判定部４０４は、ピコｅＮＢ４２−１の位置（自局位置）とピコｅＮＢ４２−２から送信されてきた位置情報が示すピコｅＮＢ４２−２の位置（他局位置）とに応じて、ピコｅＮＢ４２−２がピコｅＮＢ４２−１に近隣する近隣無線基地局であるかどうかを判定する。つまり、判定部４０４は、自局位置と他局位置とから、自局から他局までの距離を算出し、算出した距離が所定の閾値以下である場合、ピコｅＮＢ４２−２がピコｅＮＢ４２−１に近隣する近隣無線基地局である（ピコｅＮＢ４２−２の位置がピコｅＮＢ４２−１の位置から近い）と判定する。また、そうではない場合は、判定部４０４は、ピコｅＮＢ４２−２がピコｅＮＢ４２−１に近隣する近隣無線基地局ではない（ピコｅＮＢ４２−２の位置がピコｅＮＢ４２−１の位置から近くはない）と判定する。この位置情報は、図１２に示したように、ピコｅＮＢ４２−２から送信されてくるメッセージに含まれる。
【００７６】
判定部４０４が、ピコｅＮＢ４２−２の位置がピコｅＮＢ４２−１の位置から近くはないと判定した場合、通信部４０３は、通信媒体７を介してピコｅＮＢ４２−２に対して開始メッセージを送信して最適化の処理を開始する旨を通知する（ステップＳ５４）。ここで送信される開始メッセージは、図１２に示したフォーマットのセル識別子７０１にピコｅＮＢ４２−１のピコセル６２−１のセル識別子が設定され、メッセージ種別７０２に「１」が設定され、さらに位置情報７０３にピコｅＮＢ４２−１の位置を示す位置情報が設定されたものである。
【００７７】
一方、ステップＳ５２にて、判定部４０４が、ピコｅＮＢ４２−２がピコｅＮＢ４２−２における無線パラメータの最適化を行っていないと判定した場合、ピコｅＮＢ４２−１は、ステップＳ５３の処理を行わず、ステップＳ５４の処理を行う。
【００７８】
続いて、無線パラメータ制御部４０２は、無線パラメータの最適化の処理を行うために必要な測定データを収集する（ステップＳ５５）。この収集方法は、ステップＳ１４で説明した方法と同じ方法で良い。無線パラメータ制御部４０２は、収集した測定データを用いて、ピコｅＮＢ４２−１における無線パラメータの最適化処理を実施する（ステップＳ５６）。具体的には、無線パラメータ制御部４０２は、収集した測定データを用いて、最適な無線パラメータを計算し、計算した最適な無線パラメータを無線通信部４０１に適用する。
【００７９】
その後、無線パラメータの最適化処理が終了すると、通信部４０３は、通信媒体７を介してピコｅＮＢ４２−２に対して終了メッセージを送信して最適化の処理が終了した旨を通知する（ステップＳ５７）。ここで送信される終了メッセージは、図１２に示したフォーマットのセル識別子７０１にピコｅＮＢ４２−１のピコセル６２−１のセル識別子が設定され、メッセージ種別７０２に「２」が設定されたものである。さらに、図１２に示したフォーマットの位置情報７０３にピコｅＮＢ４２−１の位置を示す位置情報が設定されたものであっても良い。
【００８０】
一方、ステップＳ５３にて、ピコｅＮＢ４２−２の位置がピコｅＮＢ４２−１の位置から近いと判定した場合、無線パラメータ制御部４０２は、ピコｅＮＢ４２−１における無線パラメータの最適化処理を行うことを取り止める（ステップＳ５８）。つまり、この場合、無線パラメータ制御部４０２は、ピコｅＮＢ４２−１における無線パラメータの最適化処理を行わない。ここで、他の無線基地局が複数存在する場合、その複数の無線基地局のうちいずれか１つの無線基地局の位置が自身の無線基地局の位置から近い無線基地局であれば、無線パラメータ制御部４０２は、ピコｅＮＢ４２−１における無線パラメータの最適化処理を行うことを取り止める。
【００８１】
このように、自身の無線基地局が他の無線基地局と近いかどうかをそれぞれの位置情報を用いて判定する。そのため、他の無線基地局が近隣の無線基地局であるかどうかについて、第３の処理の例よりも正確な判定を行うことができる。
【００８２】
図１３は、図３に示した形態における無線パラメータ最適化方法の第５の例を説明するためのフローチャートである。
【００８３】
まず、無線パラメータ制御部４０２は、ピコｅＮＢ４２−１における無線パラメータの最適化を行う必要があるかどうかを、無線通信部４０１が測定した測定データを集計し、その集計結果に基づいて判定する（ステップＳ６１）。測定データの集計は、一定周期ごとに集計を行う方法でも良い。無線パラメータ制御部４０２が無線パラメータの最適化を行う必要があると判定すると、判定部４０４は、他の無線基地局であるピコｅＮＢ４２−２がピコｅＮＢ４２−２における無線パラメータの最適化を行っているかどうかを判定する（ステップＳ６２）。このとき、ピコｅＮＢ４２−２から開始メッセージが送信されてきてから終了メッセージが送信されてくるまでの間であれば、判定部４０４は、ピコｅＮＢ４２−２がピコｅＮＢ４２−２における無線パラメータの最適化を行っていると判定する。そうでなければ、判定部４０４は、ピコｅＮＢ４２−２がピコｅＮＢ４２−２における無線パラメータの最適化を行っていないと判定する。
【００８４】
図１４は、図３に示したピコｅＮＢ４２−２から送信されてくるメッセージのフォーマットの第４の例を示す図である。
【００８５】
図３に示したピコｅＮＢ４２−２から送信されてくるメッセージは図１４に示すように、セル識別子８０１と、メッセージ種別８０２と、最適化処理内容８０３とから構成されている。セル識別子８０１は、どのセルについてのメッセージかを識別するために、セルごとにあらかじめ設定された識別情報である。例えば、セル識別子８０１は、ＥＣＧＩを用いても良い。メッセージ種別８０２は、このメッセージが、無線パラメータの最適化処理を開始する旨を示す開始メッセージであるのか、無線パラメータの最適化処理を終了した旨を示す終了メッセージであるのかを示す情報である。図１４に示した例では、このメッセージが開始メッセージを示すものである場合、メッセージ種別８０２に「１」が設定され、このメッセージが終了メッセージを示すものである場合、メッセージ種別８０２に「２」が設定される。最適化処理内容８０３には、自局が現在最適化を行おうとしている、または行っている内容が設定される。具体的には、最適化処理内容８０３には、例えば、最適化を行おうとしている、または行っている無線パラメータなどが設定される。
【００８６】
判定部４０４が、ピコｅＮＢ４２−２がピコｅＮＢ４２−２における無線パラメータの最適化を行っていると判定した場合、無線パラメータ制御部４０２は、その無線パラメータの変更がピコｅＮＢ４２−１における無線パラメータの最適化に影響を与えるかどうかを判定する（ステップＳ６３）。このとき、無線パラメータ制御部４０２は、ピコｅＮＢ４２−２から送信されてきたメッセージに含まれる最適化処理内容を参照して、その無線パラメータの変更がピコｅＮＢ４２−１における無線パラメータの最適化に影響を与えるかどうかを判定する。また、併せて、無線パラメータ制御部４０２は、これから行おうとしているピコｅＮＢ４２−１における無線パラメータの最適化が、ピコｅＮＢ４２−２において行われている無線パラメータの最適化に影響を与えるかどうかを判定する。影響を与える例として、図２０を用いて説明した、通信端末が、互いに近隣するセルのどちらにも含まれなくなってしまうケースが挙げられる。
【００８７】
無線パラメータ制御部４０２が、一方の無線基地局における無線パラメータの最適化が他方の無線基地局における無線パラメータの最適化に、互いに影響を与えないと判定した場合、通信部４０３は、通信媒体７を介してピコｅＮＢ４２−２に対して最適化の処理を開始する旨を通知する（ステップＳ６４）。この通知は、開始メッセージを送信することで行われる。ここで送信される開始メッセージは、図１４に示したフォーマットのセル識別子８０１にピコｅＮＢ４２−１のピコセル６２−１のセル識別子が設定され、メッセージ種別８０２に「１」が設定され、さらに最適化処理内容８０３に無線パラメータの最適化を行う内容が設定されたものである。
【００８８】
一方、ステップＳ６２にて、判定部４０４が、ピコｅＮＢ４２−２がピコｅＮＢ４２−２における無線パラメータの最適化を行っていないと判定した場合、ピコｅＮＢ４２−１は、ステップＳ６３の処理を行わず、ステップＳ６４の処理を行う。
【００８９】
続いて、無線パラメータ制御部４０２は、無線パラメータの最適化の処理を行うために必要な測定データを収集する（ステップＳ６５）。この収集方法は、ステップＳ１４で説明した方法と同じ方法で良い。無線パラメータ制御部４０２は、収集した測定データを用いて、ピコｅＮＢ４２−１における無線パラメータの最適化処理を実施する（ステップＳ６６）。具体的には、無線パラメータ制御部４０２は、収集した測定データを用いて、最適な無線パラメータを計算し、計算した最適な無線パラメータを無線通信部４０１に適用する。
【００９０】
その後、無線パラメータの最適化処理が終了すると、通信部４０３は、通信媒体７を介してピコｅＮＢ４２−２に対して終了メッセージを送信して最適化の処理が終了した旨を通知する（ステップＳ６７）。ここで送信される終了メッセージは、図１４に示したフォーマットのセル識別子８０１にピコｅＮＢ４２−１のピコセル６２−１のセル識別子が設定され、メッセージ種別８０２に「２」が設定されたものである。さらに、図１４に示したフォーマットの最適化処理内容８０３に無線パラメータの最適化を行う内容が設定されたものであっても良い。
【００９１】
一方、ステップＳ６３にて、無線パラメータ制御部４０２は、一方の無線基地局における無線パラメータの最適化が他方の無線基地局における無線パラメータの最適化に影響を与えると判定した場合、ピコｅＮＢ４２−１における無線パラメータの最適化処理を行うことを取り止める（ステップＳ６８）。つまり、この場合、無線パラメータ制御部４０２は、ピコｅＮＢ４２−１における無線パラメータの最適化処理を行わない。他の無線基地局が複数存在する場合、そのうちいずれか１つの無線基地局における無線パラメータの最適化がピコｅＮＢ４２−１における無線パラメータの最適化に影響を与えるのであれば、無線パラメータ制御部４０２は、ピコｅＮＢ４２−１における無線パラメータの最適化処理を行うことを取り止める。また、逆に、ピコｅＮＢ４２−１における無線パラメータの最適化がいずれか１つの無線基地局における無線パラメータの最適化に影響を与えるのであれば、無線パラメータ制御部４０２は、ピコｅＮＢ４２−１における無線パラメータの最適化処理を行うことを取り止める。
【００９２】
このように、他の無線基地局において最適化を行っている場合であっても、無線パラメータの最適化が互いの最適化に影響を与えないものである場合、自身の無線基地局における無線パラメータの最適化の処理を実施する。これにより、不必要に最適化を抑制することを回避することができる。
【００９３】
以上説明した無線パラメータ最適化方法の第１〜５の例の処理を組み合わせても良い。
【００９４】
図１５は、図３に示した形態の変形例を示す図である。
【００９５】
図１５に示した形態においては、図３に示したピコｅＮＢ４２−１に代えてピコｅＮＢ４３が設けられている。また、無線パラメータ制御装置８が、コアネットワーク１およびピコｅＮＢ４３と接続されている。
【００９６】
ピコｅＮＢ４３は、無線パラメータ制御装置８によって無線パラメータが制御される無線基地局である。
【００９７】
無線パラメータ制御装置８は、無線パラメータ制御手段（無線パラメータ制御部ともいう）と、判定手段（判定部ともいう）とを具備する。無線パラメータ制御装置８の無線パラメータ制御手段は、ピコｅＮＢ４３から測定データを受け取り、受け取った測定データに基づいて、ピコｅＮＢ４３の無線パラメータを制御する。具体的には、無線パラメータ制御装置８の無線パラメータ制御手段は、受け取った測定データに基づいて、ピコｅＮＢ４３における無線パラメータの最適化を行う必要があるかどうかを判定する。無線パラメータ制御装置８の判定手段は、無線パラメータ制御手段が、ピコｅＮＢ４３において無線パラメータの最適化を行う必要があると判定すると、ピコｅＮＢ４３以外の無線基地局であるピコｅＮＢ４２−２における無線パラメータの最適化を行っているかどうかを判定する。また、無線パラメータ制御装置８の無線パラメータ制御手段は、判定手段が、ピコｅＮＢ４３以外の無線基地局であるピコｅＮＢ４２−２における無線パラメータの最適化を行っていないと判定した場合、ピコｅＮＢ４３における無線パラメータの最適化を行う。一方、無線パラメータ制御装置８の無線パラメータ制御手段は、判定手段が、ピコｅＮＢ４３以外の無線基地局であるピコｅＮＢ４２−２における無線パラメータの最適化を行っていると判定した場合、ピコｅＮＢ４３における無線パラメータの最適化を行うことを取り止める。
【００９８】
また、無線パラメータ制御装置８の無線パラメータ制御手段は、ピコｅＮＢ４３の無線パラメータの最適化を実施する場合、その旨をピコｅＮＢ４３の近隣のピコｅＮＢ４２−２に対して通知する。この通知は、例えばコアネットワーク１を介してピコｅＮＢ４２−２へ送信される。一方、ピコｅＮＢ４２−２は、無線パラメータの最適化を実施する場合、その旨を、コアネットワーク１および無線パラメータ制御装置８を介してピコｅＮＢ４３に対して通知する。なお、この通知には、前述した開始メッセージや終了メッセージ、最適化中メッセージを用いても良い。
【００９９】
また、無線パラメータ制御装置８は、前述した近隣セルリストや無線基地局の位置情報を用いた制御を行うものであっても良い。また、無線パラメータ制御装置８は、前述した無線パラメータの最適化処理が互いの無線パラメータの最適化処理に影響を与えるかどうかに基づいて、無線パラメータの最適化処理を行うものであっても良い。
（第３の実施の形態）
図１６は、例示的な実施形態の無線基地局の第３の実施の形態を示す図である。
【０１００】
本形態は図１６に示すように、コアネットワーク１と、マクロｅＮＢ２およびピコｅＮＢ４４−１〜４４−３とが接続された通信システムとなっている。
【０１０１】
コアネットワーク１は、マクロｅＮＢ２およびピコｅＮＢ４４−１〜４４−３の上位ネットワークである。マクロｅＮＢ２は、マクロセル６１をカバレッジとして形成する無線基地局である。ピコｅＮＢ４４−１は、ピコセル６３−１をカバレッジとして形成する無線基地局である。ピコｅＮＢ４４−２は、ピコセル６３−２をカバレッジとして形成する無線基地局である。ピコｅＮＢ４４−３は、ピコセル６３−３をカバレッジとして形成する無線基地局である。ピコセル６３−１〜６３−３は、互いに近隣のセルである。また、ピコｅＮＢ４４−１とピコｅＮＢ４４−２とが、通信媒体７−１を介して接続されている。また、ピコｅＮＢ４４−２とピコｅＮＢ４４−３とが、通信媒体７−２を介して接続されている。また、ピコｅＮＢ４４−１とピコｅＮＢ４４−３とが、通信媒体７−３を介して接続されている。例えば、通信媒体７−１〜７−３にＸ２リンクが確立されているものでも良い。
【０１０２】
なお、ピコｅＮＢ４４−１〜４４−３それぞれの内部構成は、図４に示したピコｅＮＢ４２−１の内部構成と同じで良い。ただし、それぞれの構成要素が行う処理に以下に説明する処理が追加される。
【０１０３】
図１７は、図１６に示した形態における無線パラメータ最適化方法の第１の例を説明するためのシーケンス図である。
【０１０４】
まず、ピコｅＮＢ４４−１がピコｅＮＢ４４−２およびピコｅＮＢ４４−３へ、無線パラメータの最適化処理を開始する旨を通知する（ステップＳ７１）。続いて、ピコｅＮＢ４４−１は、無線パラメータの最適化処理を開始する（ステップＳ７２）。ピコｅＮＢ４４−１が無線パラメータの最適化処理を行っているときに、ピコｅＮＢ４４−２が無線パラメータの最適化処理の実施が必要であると判定すると（ステップＳ７３）、ピコｅＮＢ４４−２は、無線パラメータの最適化処理を次に実施する旨を通知する（ステップＳ７４）。この通知先は、ピコｅＮＢ４４−１およびピコｅＮＢ４４−３である。
【０１０５】
その後、ピコｅＮＢ４４−１が無線パラメータの最適化処理を終了すると（ステップＳ７５）、ピコｅＮＢ４４−１は、ピコｅＮＢ４４−２およびピコｅＮＢ４４−３へ、無線パラメータの最適化処理を終了した旨を通知する（ステップＳ７６）。
【０１０６】
すると、ピコｅＮＢ４４−２がピコｅＮＢ４４−１およびピコｅＮＢ４４−３へ、無線パラメータの最適化処理を開始する旨を通知する（ステップＳ７７）。続いて、ピコｅＮＢ４４−２は、無線パラメータの最適化処理を開始する（ステップＳ７８）。
【０１０７】
図１８は、図１６に示した形態における無線パラメータ最適化方法の第２の例を説明するためのシーケンス図である。
【０１０８】
まず、ピコｅＮＢ４４−１がピコｅＮＢ４４−２およびピコｅＮＢ４４−３へ、無線パラメータの最適化処理を開始する旨を通知する（ステップＳ８１）。続いて、ピコｅＮＢ４４−１は、無線パラメータの最適化処理を開始する（ステップＳ８２）。ピコｅＮＢ４４−１が無線パラメータの最適化処理を行っているときに、ピコｅＮＢ４４−２が無線パラメータの最適化処理の実施が必要であると判定すると（ステップＳ８３）、ピコｅＮＢ４４−２は、無線パラメータの最適化処理を次に実施する旨を通知する（ステップＳ８４）。この通知先は、ピコｅＮＢ４４−１およびピコｅＮＢ４４−３である。また、この通知には、優先度を含んで行う。この優先度は、最適化処理の実施の優先度（必要度）を示すものであり、収容する通信端末の数を指標として、その数が多いほど、高い値に設定されるものでも良いし、ダウンリンクの送信電力を指標として、その送信電力が大きい（セルの大きさが大きい）ほど、高い値に設定されるものでも良い。さらに、優先度は、チルト（アンテナの角度）＞ダウンリンク送信電力＞ＮＣＬ（Ｎｅｉｇｈｂｏｕｒ  Ｃｅｌｌ  Ｌｉｓｔ）＞ＣＩＯ（ＣｅｌｌＩｎｄｉｖｉｄｕａｌ  Ｏｆｆｓｅｔ）等、それぞれの無線パラメータについて最適化の必要度（互いの順序）に基づいて、設定されるものであっても良い。
【０１０９】
その後、ピコｅＮＢ４４−１における最適化処理が終わらないうちに、ピコｅＮＢ４４−３が無線パラメータの最適化処理の実施が必要であると判定すると（ステップＳ８５）、ピコｅＮＢ４４−３は、自身の最適化の優先度と、ステップＳ８４にてピコｅＮＢ４４−２から通知された優先度とを比較する。そして、ピコｅＮＢ４４−３は、自身の最適化の優先度が、ステップＳ８４にてピコｅＮＢ４４−２から通知された優先度よりも高いと判定すると（ステップＳ８６）、無線パラメータの最適化処理を次に実施する旨を通知する（ステップＳ８７）。この通知先は、ピコｅＮＢ４４−１およびピコｅＮＢ４４−２である。
【０１１０】
その後、ピコｅＮＢ４４−１が無線パラメータの最適化処理を終了すると（ステップＳ８８）、ピコｅＮＢ４４−１は、ピコｅＮＢ４４−２およびピコｅＮＢ４４−３へ、無線パラメータの最適化処理を終了した旨を通知する（ステップＳ８９）。
【０１１１】
すると、ピコｅＮＢ４４−３がピコｅＮＢ４４−１およびピコｅＮＢ４４−２へ、無線パラメータの最適化処理を開始する旨を通知する（ステップＳ９０）。続いて、ピコｅＮＢ４４−３は、無線パラメータの最適化処理を開始する（ステップＳ９１）。
【０１１２】
図１９は、図１６に示した形態における無線パラメータ最適化方法の第３の例を説明するためのシーケンス図である。
【０１１３】
まず、ピコｅＮＢ４４−１がピコｅＮＢ４４−２についての不具合を検出すると（ステップＳ１０１）、ピコｅＮＢ４４−１はピコｅＮＢ４４−２にて無線パラメータの最適化処理を行うことが必要であると判定する（ステップＳ１０２）。例えば、ピコｅＮＢ４４−１は、ダウンリンクの送信電力やＣＩＯの最適化処理を行っても、ピコｅＮＢ４４−１からピコｅＮＢ４４−２へのハンドオーバ―処理の失敗が改善されない場合、ピコｅＮＢ４４−２にて無線パラメータの最適化処理を行うことが必要であると判定する。
【０１１４】
続いて、ピコｅＮＢ４４−１はピコｅＮＢ４４−２へ無線パラメータの最適化処理を実施するように依頼する（ステップＳ１０３）。この依頼には、ピコｅＮＢ４４−２を対象として、ピコｅＮＢ４４−１とピコｅＮＢ４４−２との間で、最適化処理実施の依頼であることが認識できる信号を用いるもので良い。
【０１１５】
第３の実施の形態においては、近隣の無線基地局との間で、無線パラメータの最適化処理の必要性に応じた通知や依頼を互いに行うため、無線パラメータの最適化処理を円滑に実施することができる。
【０１１６】
以上、第１〜３の実施の形態では１つの無線基地局に１つのセルが収容されるピコｅＮＢを用いて説明しているが、例示的な実施形態はピコｅＮＢを使用した場合に限定されず、１つの無線基地局に３セルや６セルなど複数のセルで構成されるケースにおいても例示的な実施形態を適用できるのは言うまでもない。
【０１１７】
このように、自身の無線基地局において無線パラメータの最適化処理の実施を他の無線基地局へ通知する。そして、このような通知を他の無線基地局から受けた場合、自身の無線基地局において無線パラメータの最適化処理の実施を取り止める。これにより、一方の無線基地局が最適化処理を行っている間に、他方の無線基地局が最適化処理を行うことで生じる無線パラメータの不具合を避けることができる。
【０１１８】
上述したピコｅＮＢ４２−１，４２−２，４４−１〜４４−３それぞれに設けられた各構成要素が行う処理は、目的に応じてそれぞれ作製された論理回路で行うようにしても良い。また、処理内容を手順として記述したコンピュータプログラム（以下、プログラムと称する）をピコｅＮＢ４２−１，４２−２，４４−１〜４４−３それぞれにて読取可能な記録媒体（または記憶媒体）に記録する。そして、この記録媒体に記録されたプログラムをピコｅＮＢ４２−１，４２−２，４４−１〜４４−３それぞれに読み込ませ、実行するものであっても良い。ピコｅＮＢ４２−１，４２−２，４４−１〜４４−３それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）などの移設可能な記録媒体でも良い。また、記録媒体とは、その他、ピコｅＮＢ４２−１，４２−２，４４−１〜４４−３それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、ピコｅＮＢ４２−１，４２−２，４４−１〜４４−３それぞれに設けられたＣＰＵ（Ｃｅｎｔｒａｌ  Ｐｒｏｃｅｓｓｉｎｇ  Ｕｎｉｔ）（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１１９】
以上、実施形態を参照して本願発明を説明したが、本願発明は上記実施形態に限定されものではない。本願発明の構成や詳細には、本願発明のスコープ内で当業者が理解し得る様々な変更をすることができる。
【０１２０】
上記の実施の形態の一部または全部は、以下の付記のようにも記載され得るが、以下には限られない。
（付記１）自身の無線基地局における無線パラメータの最適化を行う必要があるかどうかを判定する無線パラメータ制御部と、
前記無線パラメータ制御部が前記無線パラメータの最適化を行う必要があると判定した場合、他の無線基地局が該他の無線基地局における無線パラメータの最適化を行っているかどうかを判定する判定部とを有し、
前記無線パラメータ制御部は、前記判定部が、前記他の無線基地局が該他の無線基地局における無線パラメータの最適化を行っていないと判定した場合、自身の無線基地局における無線パラメータの最適化を行い、前記判定部が、前記他の無線基地局が該他の無線基地局における無線パラメータの最適化を行っていると判定した場合、自身の無線基地局における無線パラメータの最適化を行うことを取り止める無線基地局。
（付記２）自身の無線基地局における無線パラメータの最適化を開始する際、その旨を示す開始メッセージを送信し、該最適化を終了した際、その旨を示す終了メッセージを送信する通信部を有し、
前記判定部は、前記他の無線基地局から該他の無線基地局における無線パラメータの最適化を開始する旨を示す開始メッセージが送信されてきてから、該最適化を終了した旨を示す終了メッセージが送信されてくるまでの間、前記他の無線基地局が該他の無線基地局における無線パラメータの最適化を行っていると判定する、付記１に記載の無線基地局。
（付記３）自身の無線基地局における無線パラメータの最適化を行っている場合、その旨を示す最適化中メッセージを所定の周期で送信する通信部を有し、
前記判定部は、前記他の無線基地局から該他の無線基地局における無線パラメータの最適化を行っている旨を示す最適化中メッセージが所定の周期で送信されている場合、前記他の無線基地局が該他の無線基地局における無線パラメータの最適化を行っていると判定する、付記１に記載の無線基地局。
（付記４）前記無線パラメータ制御部は、前記判定部が、前記他の無線基地局が該他の無線基地局における無線パラメータの最適化を行っていると判定した場合であっても、該他の無線基地局があらかじめ設定されたリストに含まれていなければ、自身の無線基地局における無線パラメータの最適化を行う、付記１から３のいずれか１項に記載の無線基地局。
（付記５）自身の無線基地局の位置を示す位置情報を送信する通信部を有し、
前記判定部は、前記自身の無線基地局の位置と前記他の無線基地局から送信されてきた位置情報が示す位置とに応じて、該他の無線基地局が近隣無線基地局であるかどうかを判定し、
前記無線パラメータ制御部は、前記判定部が、前記他の無線基地局が該他の無線基地局における無線パラメータの最適化を行っていると判定した場合であっても、該他の無線基地局が前記近隣無線基地局でなければ、自身の無線基地局における無線パラメータの最適化を行う、付記１に記載の無線基地局。
（付記６）前記無線パラメータ制御部は、前記判定部が、前記他の無線基地局が該他の無線基地局における無線パラメータの最適化を行っていると判定した場合であっても、該無線パラメータの変更が自身の無線基地局におけるパラメータの最適化に影響を与えないと判定した場合、自身の無線基地局における無線パラメータの最適化を行う、付記１に記載の無線基地局。
（付記７）前記無線パラメータの変更内容を送信する通信部を有し、
前記無線パラメータ制御部は、前記他の無線基地局から送信されてきた無線パラメータの変更内容に基づいて、該無線パラメータの変更が自身の無線基地局における無線パラメータの最適化に影響を与えないかどうかを判定する、付記６に記載の無線基地局。
（付記８）複数の無線基地局を有する通信システムにおいて、
前記無線基地局における無線パラメータの最適化を行う必要があるかどうかを判定する無線パラメータ制御手段と、
前記無線パラメータ制御手段が前記無線パラメータの最適化を行う必要があると判定した場合、前記複数の無線基地局のうち前記無線パラメータの最適化を行う必要があると判定された無線基地局以外の無線基地局における無線パラメータの最適化を行っているかどうかを判定する判定手段とを有し、
前記無線パラメータ制御手段は、前記判定手段が、前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行い、前記判定手段が、前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める通信システム。
（付記９）前記無線基地局は、前記無線パラメータ制御手段と、前記判定手段とを有する、付記８に記載の通信システム。
（付記１０）無線基地局における無線パラメータの最適化を行う必要があるかどうかを判定する処理と、
前記無線パラメータの最適化を行う必要があると判定した場合、通信システムを構成する複数の無線基地局のうち前記無線パラメータの最適化を行う必要があると判定された無線基地局以外の無線基地局における無線パラメータの最適化を行っているかどうかを判定する処理と、
前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行う処理と、
前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める処理とを行う無線パラメータ最適化方法。
（付記１１）コンピュータに、
無線基地局における無線パラメータの最適化を行う必要があるかどうかを判定する手順と、
前記無線パラメータの最適化を行う必要があると判定した場合、通信システムを構成する複数の無線基地局のうち前記無線パラメータの最適化を行う必要があると判定された無線基地局以外の無線基地局における無線パラメータの最適化を行っているかどうかを判定する手順と、
前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行う手順と、
前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める手順とを実行させるためのプログラム。
【０１２１】
また、この出願は、２０１４年５月１２日に出願された日本出願特願２０１４−０９８３６５を基礎とする優先権を主張し、その開示の全てをここに取り込む。
【符号の説明】
【０１２２】
１    コアネットワーク
２    マクロｅＮＢ
３    マクロＵＥ
７，７−１〜７−３    通信媒体
８    無線パラメータ制御装置
４１，４２−１，４２−２，４３，４４−１〜４４−３    ピコｅＮＢ
５１−１〜５１−３    ピコＵＥ
６１    マクロセル
６２−１，６２−２，６３−１〜６３−３    ピコセル
４０１    無線通信部
４０２    無線パラメータ制御部
４０３    通信部
４０４    判定部
５０１，６０１，７０１，８０１    セル識別子
５０２，６０２，７０２，８０２    メッセージ種別
７０３    位置情報
８０３    最適化処理内容
【図１】
2015174066.tif 000003
【図２】
2015174066.tif 000004
【図３】
2015174066.tif 000005
【図４】
2015174066.tif 000006
【図５】
2015174066.tif 000007
【図６】
2015174066.tif 000008
【図７】
2015174066.tif 000009
【図８】
2015174066.tif 000010
【図９】
2015174066.tif 000011
【図１０】
2015174066.tif 000012
【図１１】
2015174066.tif 000013
【図１２】
2015174066.tif 000014
【図１３】
2015174066.tif 000015
【図１４】
2015174066.tif 000016
【図１５】
2015174066.tif 000017
【図１６】
2015174066.tif 000018
【図１７】
2015174066.tif 000019
【図１８】
2015174066.tif 000020
【図１９】
2015174066.tif 000021
【図２０】
2015174066.tif 000022
【図２１】
2015174066.tif 000023
【手続補正書】
【提出日】平成28年10月24日(2016.10.24)
【手続補正２】
【補正対象書類名】特許請求の範囲
【補正対象項目名】請求項３
【補正方法】変更
【補正の内容】
【請求項３】
請求項１に記載の無線基地局において、
自身の無線基地局における無線パラメータの最適化を行っている場合、前記最適化が行われていることを示す最適化中メッセージを所定の周期で送信する通信部を有し、
前記判定部は、前記他の無線基地局から該他の無線基地局における無線パラメータの最適化を行っている旨を示す最適化中メッセージが所定の周期で送信されている場合、前記他の無線基地局が該他の無線基地局における無線パラメータの最適化を行っていると判定する、
無線基地局。
【手続補正３】
【補正対象書類名】特許請求の範囲
【補正対象項目名】請求項１１
【補正方法】変更
【補正の内容】
【請求項１１】
無線基地局における無線パラメータの最適化を行う必要があるかどうかを判定する手順と、
前記無線パラメータの最適化を行う必要があると判定した場合、通信システムを構成する複数の無線基地局のうち前記無線パラメータの最適化を行う必要があると判定された無線基地局以外の無線基地局における無線パラメータの最適化を行っているかどうかを判定する手順と、
前記複数の無線基地局のうち前記無線パラメータの最適化を行う必要があると判定された無線基地局以外の無線基地局における無線パラメータの最適化を行っていないと判定した場合、前記無線パラメータの最適化を行う必要があると判定された無線基地局における無線パラメータの最適化を行う手順と、
前記複数の無線基地局のうち前記無線パラメータの最適化を行う必要があると判定された無線基地局以外の無線基地局における無線パラメータの最適化を行っていると判定した場合、前記無線パラメータの最適化を行う必要があると判定された無線基地局における無線パラメータの最適化を行うことを取り止める手順とをコンピュータに実行させるためのプログラム。
【国際調査報告】
2015174066.tif 000024
2015174066.tif 000025